(57)【要約】【課題】踊り場基台の高さ寸法を小さくして視覚的な開放感を向上させることができる踊り場付きオープン階段ユニットを提供する。【解決手段】四角枠部の内側に梁部が形成された踊り場基台１２と、踊り場基台を床の上方に水平に支持する支柱１４と、踊り場基台の上面に固定された踊り場踏板１６と、桁本体１８に複数の踏板２０が固定され、上端部が踊り場基台に固定された下側階段部材２２と、桁本体２４に複数の踏板２６が固定され、下端部が踊り場踏板に固定された上側階段部材２８とを具備する踊り場付きオープン階段ユニットにおいて、下側階段部材の上端部に上部取付板を水平に固定するとともに、上記取付板を踊り場基台の梁部の下面に固定する。【選択図】図２
2008038439.tif 000002
【特許請求の範囲】
【請求項１】
四角枠部の内側に梁部が形成された踊り場基台と、前記踊り場基台を床の上方に水平に支持する支柱と、前記踊り場基台の上面に固定された踊り場踏板と、桁本体に複数の踏板が固定され、上端部が前記踊り場基台に固定された下側階段部材と、桁本体に複数の踏板が固定され、下端部が前記踊り場基台に固定された上側階段部材とを具備する踊り場付きオープン階段ユニットであって、前記下側階段部材の上端部が前記踊り場基台の梁部の下面に固定されていることを特徴とする踊り場付きオープン階段ユニット。
【請求項２】
前記下側階段部材の上端部に上部取付板が水平に固定されているとともに、前記上部取付板が前記踊り場基台の梁部の下面に固定されていることを特徴とする請求項１に記載の踊り場付きオープン階段ユニット。
【請求項３】
前記上側階段部材の下端部に下部取付板が水平に固定されているとともに、前記下部取付板が前記踊り場踏板を介して前記踊り場基台の梁部の上面に固定されていることを特徴とする請求項１または２に記載の踊り場付きオープン階段ユニット。
【請求項４】
前記支柱は床と踊り場基台の下面との間に固定されていることを特徴とする請求項１〜３のいずれか１項に記載の踊り場付きオープン階段ユニット。
【請求項５】
前記踊り場基台の四角枠部および梁部は高さ寸法が同じであり、前記踊り場基台の四角枠部および梁部の高さ寸法は前記下側階段部材の蹴上げ寸法以下であることを特徴とする請求項１〜４のいずれか１項に記載の踊り場付きオープン階段ユニット。
【請求項６】
前記踊り場基台および前記桁本体がアルミニウム合金によって形成されていることを特徴とする請求項１〜５のいずれか１項に記載のオープン階段ユニット。
【発明の詳細な説明】
【技術分野】
【０００１】
本発明は、建物の上階と下階との間に設置されるオープン階段ユニットに関し、さらに詳述すると、階段の途中に踊り場が設置された踊り場付きオープン階段ユニットに関する。
【背景技術】
【０００２】
従来、建物における上階と下階との間を昇降するための階段として、踏板が壁パネルから分離されたオープン階段が知られており、このようなオープン階段の一種として、階段の途中に踊り場が設置された踊り場付きオープン階段ユニットが提案されている（例えば、特許文献１参照）。
【０００３】
図８は従来の踊り場付きオープン階段ユニットの一例を示す正面図、図９は同ユニットの側面図である。本例の踊り場付きオープン階段ユニット１００は、踊り場基台１０２と、踊り場基台１０２を床の上方に水平に支持する複数の支柱１０４と、踊り場基台１０２の上面に固定された踊り場踏板１０６と、一対の桁本体１０８に複数の踏板１１０が固定され、上端部が踊り場基台１０２に固定された下側階段部材１１２と、一対の桁本体１１４に複数の踏板１１６が固定され、下端部が踊り場踏板１０６に固定された上側階段部材１１８と、下側階段部材１１２の踏板１１０に固定された下側階段手摺り１２０と、上側階段部材１１８の踏板１１６に固定された上側階段手摺り１２２とを備えている。なお、図中１２４、１２６は壁、１２８、１３０は床を示している。
【０００４】
【特許文献１】特開２００３−１９３６５０号公報
【発明の開示】
【発明が解決しようとする課題】
【０００５】
図８、図９に示した踊り場付きオープン階段ユニットでは、下側階段部材１１２の上端部（桁本体１０８の上端部）を踊り場基台１０２の側面に固定している。この場合、踊り場基台１０２には、下側階段部材１１２の蹴上げ寸法（階段の１段の高さ）の２倍以上の高さ寸法が必要になる。これは、下側階段部材１１２の最上部の踏板１１０と踊り場踏板１０６との間の蹴上げ寸法を確保するためである。したがって、一般に階段の蹴上げ寸法は１９０〜２１０ｍｍであるため、踊り場基台１０２の高さ寸法は通常４００ｍｍ以上が必要となる。そのため、図８、図９に示した踊り場付きオープン階段ユニットでは、踊り場基台１０２の高さ寸法が大きくなり、その結果オープン階段の特長である視覚的な開放感が損なわれていた。
【０００６】
本発明は、前述した事情に鑑みてなされたもので、踊り場基台の高さ寸法を小さくして視覚的な開放感を向上させることができる踊り場付きオープン階段ユニットを提供することを目的とする。
【課題を解決するための手段】
【０００７】
本発明は、前記目的を達成するため、四角枠部の内側に梁部が形成された踊り場基台と、前記踊り場基台を床の上方に水平に支持する支柱と、前記踊り場基台の上面に固定された踊り場踏板と、桁本体に複数の踏板が固定され、上端部が前記踊り場基台に固定された下側階段部材と、桁本体に複数の踏板が固定され、下端部が前記踊り場基台に固定された上側階段部材とを具備する踊り場付きオープン階段ユニットであって、前記下側階段部材の上端部が前記踊り場基台の梁部の下面に固定されていることを特徴とする踊り場付きオープン階段ユニットを提供する。
【０００８】
本発明の踊り場付きオープン階段ユニットは、下側階段部材の上端部を踊り場基台の下面に固定するので、踊り場基台の側面には下側階段部材の上端部を固定するためのスペースを要しない。そのため、本発明では踊り場基台の高さ寸法を小さくすることができ、視覚的な開放感を向上させることができる。
【０００９】
本発明においては、後述する実施形態に示すように、下記構成（ａ）〜（ｅ）を採用することがより好ましい。
（ａ）上側階段部材の下端部に下部取付板が水平に固定されているとともに、下部取付板が踊り場踏板を介して踊り場基台の梁部の上面に固定されている構成。
（ｂ）下側階段部材の上端部に上部取付板が水平に固定されているとともに、上部取付板が踊り場基台の梁部の下面に固定されている構成。
（ｃ）支柱は床と踊り場基台の下面との間に固定されている構成。
（ｄ）踊り場基台の四角枠部および梁部は高さ寸法が同じであり、踊り場基台の四角枠部および梁部の高さ寸法は下側階段部材の蹴上げ寸法以下である構成。
（ｅ）踊り場基台および桁本体がアルミニウム合金によって形成されている構成。
【発明の効果】
【００１０】
本発明の踊り場付きオープン階段ユニットによれば、踊り場基台の高さ寸法を小さくして、オープン階段ユニットの特長である視覚的な開放感を向上させることができる。
【発明を実施するための最良の形態】
【００１１】
以下、本発明の実施の形態を図面を参照して説明するが、本発明は下記例に限定されるものではない。図１は本発明の踊り場付きオープン階段ユニットの一例を示す正面図、図２は同ユニットの側面図である。
【００１２】
本例の踊り場付きオープン階段ユニット１０は、踊り場基台１２と、踊り場基台１２を床の上方に水平に支持する複数の支柱１４と、踊り場基台１２の上面に固定された踊り場踏板１６と、一対の平行な桁本体１８に複数の踏板２０が取付部材２１により固定され、上端部が踊り場基台１２に固定された下側階段部材２２と、一対の平行な桁本体２４に複数の踏板２６が取付部材２７により固定され、下端部が踊り場踏板１６に固定された上側階段部材２８と、下側階段部材２２の踏板２０に固定された下側階段手摺り３０と、上側階段部材２８の踏板２６に固定された上側階段手摺り３２とを備えている。なお、図中３４、３６は壁、３８、４０は床を示している。
【００１３】
踊り場基台１２、支柱１４、桁本体１８、取付部材２１、桁本体２４および取付部材２７はアルミニウム合金により形成され、踊り場踏板１６、踏板２０および踏板２６は木質の板材により形成され、下側階段手摺り３０および上側階段手摺り３２はアルミニウム合金とプラスチック板によって形成されている。ただし、上記各部材の材質は限定されるものではない。
【００１４】
また、取付部材２１および取付部材２７は、桁本体１８、桁本体２４に踏板２０、踏板２６を取り付けることができるものであればどのような構成のものであってよい。このような取付部材としては、例えば特許第３７３２８４６号公報に示されたものを挙げることができる。
【００１５】
本例において、踊り場基台１２は、図３に示すように、四角枠部４２の内側に複数の直線状梁部４４が一体に形成された枠状のものである。また、本例では、図４、図５に示すように、下側階段部材２２の一対の桁本体１８の上端部に、鋼板からなる四角形の上部取付板４６が水平にかつ両桁本体１８にまたがるようにボルト（図示せず）により固定されている。そして、図５に示すように、上部取付板４６が踊り場基台１２の梁部４４の下面にボルト４８により固定されている。すなわち、本例では、上部取付板４６を利用して下側階段部材２２の両桁本体１８を梁部４４に固定できるようにしている。
【００１６】
本例では、四角枠部４２および梁部４４は高さ寸法が同じであり、四角枠部４２および梁部４４の高さ寸法は下側階段部材２２の蹴上げ寸法以下である。すなわち、本例では、下側階段部材１２の上端部を踊り場基台１２の下面に固定するので、下側階段部材２２の最上部の踏板２０と踊り場踏板１６との間の蹴上げ寸法を確保するために、四角枠部４２および梁部４４の高さ寸法を同じとし、四角枠部４２および梁部４４の高さ寸法を下側階段部材２２の蹴上げ寸法以下とする。具体的には、一般に階段の蹴上げ寸法は１９０〜２１０ｍｍであるため、踊り場基台１２の高さ寸法と踊り場踏板１６の高さ寸法を加えた値を１９０ｍｍ以下とすることが好ましく、特に１４０〜１８０ｍｍとすることが好ましい。これにより、オープン階段ユニットの特長である視覚的な開放感を確保することができる。
【００１７】
また、本例では、図６、図７に示すように、上側階段部材２８の一対の桁本体２４の下端部に、鋼板からなる四角形の下部取付板５０が水平にかつ両桁本体２４にまたがるようにボルト（図示せず）により固定されている。そして、図７に示すように、下部取付板５０が踊り場踏板１６を介して踊り場基台の梁部（図示せず）の上面にボルト５２により固定されている。すなわち、本例では、下部取付板５０を利用して下側階段部材２２の両桁本体１８を踊り場踏板１６を介して梁部に固定できるようにしている。
【００１８】
なお、本例では、図３に点線で示した部分において、床と踊り場基台１２の下面との間に円筒状の支柱１４が固定されている。ただし、支柱の配置箇所は適宜設定することができる。
【００１９】
本発明は、前述した実施形態に限定されるものではなく、必要に応じて例えば下記（１）〜（３）に示すような種々の変更が可能である。
（１）本例では、上から見たときに踊り場において下側階段部材と上側階段部材とが直角をなしている踊り場付きオープン階段ユニット（いわゆるＬ字型）を例示したが、上から見たときに踊り場において下側部材と上側部材の向きが逆になるように折り返す構造の踊り場付きオープン階段ユニット（いわゆるＵ字型）や、その他の構造の踊り場付きオープン階段ユニットとしてもよい。
（２）本例では、上側階段部材の下部取付板を踊り場踏板上に固定したが、上側階段部材の下部取付板は踊り場基台の側面に固定してもよい。
（３）本例では、踊り場の上面全体を１つの平面状としたが、踊り場において２段以上の段を設けてもよい。すなわち、踊り場に階段を設けてもよい。
【図面の簡単な説明】
【００２０】
【図１】本発明の踊り場付きオープン階段ユニットの一例を示す正面図である。
【図２】図１のユニットの側面図である。
【図３】図１のユニットの踊り場基台を示す平面図である。
【図４】図１のユニットの下側階段部材の上端部に上部取付板を固定した状態を示す側面図である。
【図５】図１のユニットの踊り場基台の下面に下側階段部材の上端部を固定した状態を示す底面図である。
【図６】図１のユニットの上側階段部材の下端部に下部取付板を固定した状態を示す側面図である。
【図７】図１のユニットの踊り場基台の上面に踊り場踏板を介して上側階段部材の下端部を固定した状態を示す平面図である。
【図８】従来の踊り場付きオープン階段ユニットの一例を示す正面図である。
【図９】図８のユニットの側面図である。
【符号の説明】
【００２１】
１０  踊り場付きオープン階段ユニット
１２  踊り場基台
１４  支柱
１６  踊り場踏板
１８  桁本体
２０  踏板
２２  下側階段部材
２４  桁本体
２６  踏板
２８  上側階段部材
４２  四角枠部
４４  梁部
４６  上部取付板
５０  下部取付板
【図１】
2008038439.tif 000003
【図２】
2008038439.tif 000004
【図３】
2008038439.tif 000005
【図４】
2008038439.tif 000006
【図５】
2008038439.tif 000007
【図６】
2008038439.tif 000008
【図７】
2008038439.tif 000009
【図８】
2008038439.tif 000010
【図９】
2008038439.tif 000011